(57)【要約】    【課題】  雪止め装置を容易に取付けることができる既設屋根用の谷部屋根板を提供することである。    【解決手段】  屋根板（１０）の中央から一方の縁部の方へ寄った個所に配置され、雪止め装置を取付けるための雪止め装置取付け部（１４）を備えており、雪止め装置取付け部が、屋根板を垂直方向上方に折り立てた後に折り返して二枚重ねにし、更に二枚重ねにした内部に屋根板を折り立てた後に再び折り返して二枚重ねにすることによって形成されており、接着手段を用いて、既設の屋根の谷部の所望個所に接着させて用いることを特徴とする。【選択図】  図１
2004218419.tif 000002
【特許請求の範囲】
【請求項１】
雪止め装置を取付けるための谷部屋根板であって、
屋根板の中央から一方の縁部の方へ寄った個所に配置され、雪止め装置を取付けるための雪止め装置取付け部を備えており、
前記雪止め装置取付け部が、屋根板を垂直方向上方に折り立てた後に折り返して二枚重ねにし、更に二枚重ねにした内部に屋根板を折り立てた後に再び折り返して二枚重ねにすることによって形成されており、
接着手段を用いて、既設の屋根の谷部の所望個所に接着させて用いることを特徴とする谷部屋根板。
【請求項２】
雪止め装置を取付けるための谷部屋根板であって、
２枚の異なる幅の金属板で構成されており、
一方の金属板の一方の縁部に上ハゼ部分が形成され、他方の金属板の一方の縁部に下ハゼ部分が形成されており、
前記下ハゼ部分に前記上ハゼ部分を被せて締め付けることによって略直線状の横断面に形成された、雪止め装置を取付けるための雪止め装置取付け部を備えており、
接着手段を用いて、既設の屋根の谷部の所望個所に接着させて用いることを特徴とする谷部屋根板。
【請求項３】
雪止め装置を取付けるための谷部屋根板であって、
屋根板の略中央に配置され、雪止め装置を取付けるための雪止め装置取付け部を備えており、
前記雪止め装置取付け部が、屋根板を垂直方向上方に折り立てた後に折り返して二枚重ねにし、更に二枚重ねにした内部に屋根板を折り立てた後に再び折り返して二枚重ねにすることによって形成されており、
接着手段を用いて、既設の屋根の谷部の所望個所に接着させて用いることを特徴とする谷部屋根板。
【請求項４】
雪止め装置を取付けるための谷部屋根板であって、
２枚の略等しい幅の金属板で構成されており、
一方の金属板の一方の縁部に上ハゼ部分が形成され、他方の金属板の一方の縁部に下ハゼ部分が形成されており、
前記下ハゼ部分に前記上ハゼ部分を被せて締め付けることによって略直線状の横断面に形成された、雪止め装置を取付けるための雪止め装置取付け部を備えており、
接着手段を用いて、既設の屋根の谷部の所望個所に接着させて用いることを特徴とする谷部屋根板。
【請求項５】
雪止め装置が取付けられた谷部屋根板であって、
１枚の幅ｗ1 の金属製のベース板と、
Ｌ字形の横断面の幅ｗ2 （ｗ1 ＞ｗ2 ）の金属板で形成され、前記ベース板に所定間隔隔ててそれぞれ固定された複数の雪止め装置と、
を備え、前記雪止め装置の前記ベース板への固定が、前記雪止め装置の一端が前記ベース板の一方の縁部に略一致するように行われており、
接着手段を用いて、既設の屋根の谷部の所望個所に接着させて用いることを特徴とする谷部屋根板。
【請求項６】
雪止め装置を取付けるための谷部屋根板であって、
前方端部に上ハゼ部分が形成され、後方端部に下ハゼ部分が形成された複数の屋根板を連結することによって構成されており、或る屋根板の下ハゼ部分に隣接する屋根板の上ハゼ部分を被せて締め付けることによって、屋根板の連結部が、略直線状の横断面の、雪止め装置を取付けるための雪止め装置取付け部となり、
接着手段を用いて、既設の屋根の谷部の所望個所に接着させて用いることを特徴とする谷部屋根板。
【請求項７】
雪止め装置を取付けるための谷部屋根板であって、
折り立てられた後に折り返されて二枚重ねとなった第１部分が前方端部に形成され、折り立てられた後に折り返されて二枚重ねとなった第２部分が後方端部に形成された複数の屋根板を連結することによって構成されており、
或る屋根板の第２部分に隣接する屋根板の第１部分を被せて、逆Ｌ字形の横断面になるようにかしめることによって、屋根板の連結部が、逆Ｌ字形の横断面の、雪止め装置を取付けるための雪止め装置取付け部となり、
接着手段を用いて、既設の屋根の谷部の所望個所に接着させて用いることを特徴とする谷部屋根板。
【請求項８】
前記接着手段が、接着剤、シーリング剤、又は両面粘着シートであることを特徴とする請求項１から請求項７までのいずれか１項に記載の谷部屋根板。
【発明の詳細な説明】
【技術分野】
【０００１】
本発明は一般に、既設屋根用の谷部屋根板に関する。より詳細には、本発明は、雪止め装置を取付けるための既設屋根用の谷部屋根板に関する。
【背景技術】
【０００２】
積雪寒冷地の住宅の屋根に取り付けられる雪止め装置は、種々のものが開発されており、本発明者も、２つの型式の雪止め装置を提案している（特許文献１及び特許文献２参照）。
【０００３】
【特許文献１】特開２００２−４７７７０号公報
【特許文献２】特開２００２−４７７６９号公報
【発明の開示】
【発明が解決しようとする課題】
【０００４】
しかしながら、平らなトタン板である屋根板に雪止め装置を取付けるには、屋根板に雪止め装置を取付けるための手段を設けることが必要となるが、このような取付け手段が設けられていない既設屋根では、ワイヤ等で雪止め装置を固定する以外には効果的な方法がないのが現状である。また、屋根のうち谷部は、特に凍結し易い部分であるにもかかわらず、雪止め装置を容易に取付けることができる谷部屋根板が見当たらないのが現状である。そのため、積雪寒冷地では、既設屋根に雪止め装置を容易に取付けることができる谷部屋根板に対する強い要請がある。
【０００５】
したがって、本発明は、雪止め装置を容易に取付けることができる既設屋根用の谷部屋根板を提供することを目的としている。
【課題を解決するための手段】
【０００６】
本願請求項１に記載の雪止め装置を取付けるための谷部屋根板は、屋根板の中央から一方の縁部の方へ寄った個所に配置され、雪止め装置を取付けるための雪止め装置取付け部を備えており、前記雪止め装置取付け部が、屋根板を垂直方向上方に折り立てた後に折り返して二枚重ねにし、更に二枚重ねにした内部に屋根板を折り立てた後に再び折り返して二枚重ねにすることによって形成されており、接着手段を用いて、既設の屋根の谷部の所望個所に接着させて用いることを特徴とするものである。
【０００７】
本願請求項２に記載の雪止め装置を取付けるための谷部屋根板は、２枚の異なる幅の金属板で構成されており、一方の金属板の一方の縁部に上ハゼ部分が形成され、他方の金属板の一方の縁部に下ハゼ部分が形成されており、前記下ハゼ部分に前記上ハゼ部分を被せて締め付けることによって略直線状の横断面に形成された、雪止め装置を取付けるための雪止め装置取付け部を備えており、接着手段を用いて、既設の屋根の谷部の所望個所に接着させて用いることを特徴とするものである。
【０００８】
本願請求項３に記載の雪止め装置を取付けるための谷部屋根板は、屋根板の略中央に配置され、雪止め装置を取付けるための雪止め装置取付け部を備えており、前記雪止め装置取付け部が、屋根板を垂直方向上方に折り立てた後に折り返して二枚重ねにし、更に二枚重ねにした内部に屋根板を折り立てた後に再び折り返して二枚重ねにすることによって形成されており、接着手段を用いて、既設の屋根の谷部の所望個所に接着させて用いることを特徴とするものである。
【０００９】
本願請求項４に記載の雪止め装置を取付けるための谷部屋根板は、２枚の略等しい幅の金属板で構成されており、一方の金属板の一方の縁部に上ハゼ部分が形成され、他方の金属板の一方の縁部に下ハゼ部分が形成されており、前記下ハゼ部分に前記上ハゼ部分を被せて締め付けることによって逆Ｌ字形の横断面に形成された、雪止め装置を取付けるための雪止め装置取付け部を備えており、接着手段を用いて、既設の屋根の谷部の所望個所に接着させて用いることを特徴とするものである。
【００１０】
本願請求項５に記載の雪止め装置が取付けられた谷部屋根板は、１枚の幅ｗ1 の金属製のベース板と、Ｌ字形の横断面の幅ｗ2 （ｗ1 ＞ｗ2 ）の金属板で形成され、前記ベース板に所定間隔隔ててそれぞれ固定された複数の雪止め装置とを備え、前記雪止め装置の前記ベース板への固定が、前記雪止め装置の一端が前記ベース板の一方の縁部に略一致するように行われており、接着手段を用いて、既設の屋根の谷部の所望個所に接着させて用いることを特徴とするものである。
【００１１】
本願請求項６に記載の雪止め装置を取付けるための谷部屋根板は、前方端部に上ハゼ部分が形成され、後方端部に下ハゼ部分が形成された複数の屋根板を連結することによって構成されており、或る屋根板の下ハゼ部分に隣接する屋根板の上ハゼ部分を被せて締め付けることによって、屋根板の連結部が、略直線状の横断面の、雪止め装置を取付けるための雪止め装置取付け部となり、接着手段を用いて、既設の屋根の谷部の所望個所に接着させて用いることを特徴とするものである。
【００１２】
本願請求項７に記載の雪止め装置を取付けるための谷部屋根板は、折り立てられた後に折り返されて二枚重ねとなった第１部分が前方端部に形成され、折り立てられた後に折り返されて二枚重ねとなった第２部分が後方端部に形成された複数の屋根板を連結することによって構成されており、或る屋根板の第２部分に隣接する屋根板の第１部分を被せて、逆Ｌ字形の横断面になるようにかしめることによって、屋根板の連結部が、逆Ｌ字形の横断面の、雪止め装置を取付けるための雪止め装置取付け部となり、接着手段を用いて、既設の屋根の谷部の所望個所に接着させて用いることを特徴とするものである。
【００１３】
本願請求項８に記載の雪止め装置を取付けるための谷部屋根板は、前記請求項１から請求項７までのいずれか１項に記載の谷部屋根板において、前記接着手段が、接着剤、シーリング剤、又は両面粘着シートであることを特徴とするものである。
【発明の効果】
【００１４】
本発明の谷部屋根板によれば、既設屋根の谷部に容易に雪止め装置を取付けることが可能になる。
【発明を実施するための最良の形態】
【００１５】
次に図面を参照して、本発明の好ましい実施の形態に係る谷部屋根板について詳細に説明する。図１は、本発明の第１の実施の形態に係る谷部屋根板を示した図である。図１（ａ）において全体として参照符号１０で示される第１の実施の形態に係る谷部屋根板は、所定の寸法を有する１枚の金属板で作られており、両方の縁部に、縁部がそれぞれ下方に折り返された補強部１２が設けられている。
【００１６】
谷部屋根板１０には又、中央から一方の縁部の方へ寄った個所（図１（ａ）では右方に寄った個所）に、雪止め装置を取付けるための雪止め装置取付け部１４が設けられている。雪止め装置取付け部１４は、屋根板１０を垂直方向上方に折り立てた後に折り返して二枚重ねにし、更に二枚重ねにした内部に屋根板１０を折り立てた後に再び折り返して二枚重ねにし、外側の二枚重ね部分と内側の二枚重ね部分の計４枚重ねによって形成される。
【００１７】
図１（ｂ）は、谷部屋根板１０が既設の屋根板に取付けられている状態を示した概略正面図、図１（ｃ）は、図１（ｂ）の部分拡大図である。谷部屋根板１０は、底面に接着剤を塗布し、既設屋根板の対応個所にも接着剤を塗布した後、屋根板の長い方の部分（図１（ａ）では左側の部分）を既設屋根板のハゼ摘まみ込み部に挿入して、既設屋根板に貼り付ける。なお、図１（ｂ）では、谷部屋根板１０が既設の屋根板の両方の側に取り付けられているが、必要に応じて、谷部屋根板１０を既設の屋根板の一方の側にのみ取り付けてもよい。また、図示されている既設の屋根板の傾斜角度、及び、点線で示した雪止め装置の大きさ（高さ及び幅）は、単なる例示にすぎず、図示されている角度や大きさ以外のものでもよい。
【００１８】
図２は、谷部屋根板１０の変形形態を示した図である。すなわち、図２（ａ）において全体として参照符号２０で示される谷部屋根板は、２枚の細長い金属板２０ａ、２０ｂ（金属板２０ａの幅は、金属板２０ｂの幅よりも大きい）で形成されている点を除いて、谷部屋根板１０と実質的に同一である。
【００１９】
谷部屋根板２０を構成する屋根板２０ａは、一方の縁部が折り立てられ、折り立てられた部分２４ａ１の先端が横方向外方に折り曲げられて、ほぼ逆Ｌ字形の横断面を有する被接部２４ａ２を形成している。そして、折り立てられた部分２４ａ１は、更に、その裾縁が延長され、下方に折り返されて引掛縁２４ａ３となっている。折り立てられた部分２４ａ１、被接部２４ａ２、及び引掛縁２４ａ３は協同して、上ハゼ部分２４ａを形成している。一方、谷部屋根板２０を構成する屋根板２０ｂは、一方の縁部が折り立てられ、折り立てられた部分２４ｂ１の先端が横方向外方に折り曲げられて、ほぼ逆Ｌ字形の横断面を有する被接部２４ｂ２を形成している。折り立てられた部分２４ｂ１、及び被接部２４ｂ２は協同して、下ハゼ部分２４ｂを形成している。そして、屋根板２０ｂの下ハゼ部分２４ｂを屋根板２０ａの上ハゼ部分２４ａに被せて、両方のハゼ部分２４ａ、２４ｂを締め付けることによって、略直線状の横断面を有する雪止め装置を取付けるための雪止め装置取付け部２４が形成される。
【００２０】
なお、屋根板２０ａの上ハゼ部分２４ａが形成されている縁部の反対側の縁部、及び、屋根板２０ｂの下ハゼ部分２４ｂが形成されている縁部の反対側の縁部には、縁部がそれぞれ下方に折り返された補強部２２が設けられている。図２（ｃ）では、谷部屋根板２０が既設の屋根板の両方の側に取り付けられているが、必要に応じて、谷部屋根板２０を既設の屋根板の一方の側にのみ取り付けてもよい。また、図示されている既設の屋根板の傾斜角度、及び、点線で示した雪止め装置の大きさ（高さ及び幅）は、単なる例示にすぎず、図示されている角度や大きさ以外のものでもよい。
【００２１】
谷部屋根板２０の取付け方法は、谷部屋根板１０の上述の取付け方法と同様である。すなわち、谷部屋根板２０の底面に接着剤を塗布し、既設屋根板の対応個所にも接着剤を塗布した後、屋根板２０ａを既設屋根板のハゼ摘まみ込み部に挿入して、既設屋根板に貼り付ける。
【００２２】
図３は、本発明の第２の実施の形態に係る谷部屋根板を示した図である。図３（ａ）において全体として参照符号３０で示される第２の実施の形態に係る谷部屋根板は、所定の寸法を有する１枚の金属板で作られており、両方の縁部に、縁部がそれぞれ下方に折り返された補強部３２が設けられている。
【００２３】
谷部屋根板３０には又、屋根板の略中央に、雪止め装置を取付けるための雪止め装置取付け部３４が設けられている。雪止め装置取付け部３４は、屋根板３０を垂直方向上方に折り立てた後に折り返して二枚重ねにし、更に二枚重ねにした内部に屋根板３０を折り立てた後に再び折り返して二枚重ねにし、外側の二枚重ね部分と内側の二枚重ね部分の計４枚重ねによって形成される。
【００２４】
谷部屋根板３０は、後述するように、雪止め装置取付け部３４が屋根板の略中央に設けられる点を除いて、谷部屋根板１０と実質的に同一である。また、谷部屋根板３０の取付け方法は、図３（ｂ）に示されるように、谷部屋根板１０、２０の上述の取付け方法と同様である。すなわち、谷部屋根板３０の底面に接着剤を塗布し、既設屋根板の対応個所にも接着剤を塗布した後、屋根板の両方の部分を既設屋根板のハゼ摘まみ込み部に挿入して、既設屋根板に貼り付ける。なお、図３（ｂ）に示されている既設の屋根板の傾斜角度、及び、点線で示した雪止め装置の大きさ（高さ及び幅）は、単なる例示にすぎず、図示されている角度や大きさ以外のものでもよい。
【００２５】
図４は、谷部屋根板３０の変形形態を示した図である。すなわち、図４（ａ）において全体として参照符号４０で示される谷部屋根板は、２枚の略等しい幅の細長い金属板４０ａ、４０ｂで形成されている点を除いて、谷部屋根板３０と実質的に同一である。
【００２６】
谷部屋根板４０を構成する屋根板４０ａは、一方の縁部が折り立てられ、折り立てられた部分４４ａ１の先端が横方向外方に折り曲げられて、ほぼ逆Ｌ字形の横断面を有する被接部４４ａ２を形成している。そして、折り立てられた部分４４ａ１は、更に、その裾縁が延長され、下方に折り返されて引掛縁４４ａ３となっている。折り立てられた部分４４ａ１、被接部４４ａ２、及び引掛縁４４ａ３は協同して、上ハゼ部分４４ａを形成している。一方、谷部屋根板４０を構成する屋根板４０ｂは、一方の縁部が折り立てられ、折り立てられた部分４４ｂ１の先端が横方向外方に折り曲げられて、ほぼ逆Ｌ字形の横断面を有する被接部４４ｂ２を形成している。折り立てられた部分４４ｂ１、及び被接部４４ｂ２は協同して、下ハゼ部分４４ｂを形成している。そして、屋根板４０ｂの下ハゼ部分４４ｂを屋根板４０ａの上ハゼ部分４４ａに被せて、両方のハゼ部分４４ａ、４４ｂを締め付けることによって、略直線状の横断面を有する雪止め装置を取付けるための雪止め装置取付け部４４が形成される。
【００２７】
なお、屋根板４０ａの上ハゼ部分４４ａが形成されている縁部の反対側の縁部、及び、屋根板４０ｂの下ハゼ部分４４ｂが形成されている縁部の反対側の縁部には、縁部がそれぞれ下方に折り返された補強部４２が設けられている。図４（ｃ）に示されている既設の屋根板の傾斜角度、及び、点線で示した雪止め装置の大きさ（高さ及び幅）は、単なる例示にすぎず、図示されている角度や大きさ以外のものでもよい。
【００２８】
谷部屋根板４０の既設屋根板への取付けは、図４（ｃ）に示されるように、谷部屋根板３０と同様に、谷部屋根板４０の底面に接着剤を塗布し、既設屋根板の対応個所にも接着剤を塗布した後、屋根板の両方の部分を既設屋根板のハゼ摘まみ込み部に挿入して、既設屋根板に貼り付けることによって行われる。
【００２９】
図５は、本発明の第３の実施の形態に係る谷部屋根板を示した図である。図５（ａ）において全体として参照符号５０で示される第３の実施の形態に係る谷部屋根板は、横葺き屋根に用いられる上述の谷部屋根板１０、２０、３０、４０とは異なり、縦葺き屋根の谷部屋根板に係わるものである。谷部屋根板５０は、１枚の幅ｗ1 の金属製のベース板５２を備えており、ベース板５２の両方の縁部に、縁部がそれぞれ下方に折り返された補強部５４が設けられている。谷部屋根板５０は又、ベース板５２に所定間隔隔ててビス５８でそれぞれ固定された複数の雪止め装置５６を備えている。雪止め装置５６は、Ｌ字形の横断面の幅ｗ2 （ｗ1 ＞ｗ2 ）の金属板で形成されている。
【００３０】
雪止め装置５６のベース板５２への固定は、図５（ａ）に示されるように、雪止め装置５６の一端（図では右端）がベース板５２の一方の縁部（図では右側の縁部）に略一致するように行われ、これによりベース板５２の他方の縁部（図では左側の縁部）に、雪止め装置５６が存在しない領域５２ａが形成される。
【００３１】
谷部屋根板５０の既設屋根板への取付けは、谷部屋根板５０の底面に接着剤を塗布し、既設屋根板の対応個所にも接着剤を塗布した後、屋根板の領域５２ａを既設屋根板のハゼ摘まみ込み部に挿入して、既設屋根板に貼り付けることによって行われる。
【００３２】
図６は、本発明の第４の実施の形態に係る谷部屋根板を示した図である。図５（ｂ）において全体として参照符号６０で示される第４の実施の形態に係る谷部屋根板は、谷部屋根板５０と同様に、縦葺き屋根の谷部屋根板に係わるものである。谷部屋根板６０は、前方端部に上ハゼ部分６４ａが形成され、後方端部に下ハゼ部分６４ｂが形成された複数の屋根板６２を連結することによって構成されている。上ハゼ部分６４ａは、屋根板の一方の端部が折り立てられた部分６４ａ１と、折り立てられた部分６４ａの先端を横方向外方に折り曲げた被接部６４ａ２と、被接部６４ａ２を下方に折り返えした引掛縁６４ａ３とを有している。下ハゼ部分６４ｂは、屋根板の他方の端部が折り立てられた部分６４ｂ１と、折り立てられた部分６４ｂ１の先端を横方向外方に折り曲げた被接部６４ｂ２とを有している。
【００３３】
各屋根板６２の連結は、屋根板６２の下ハゼ部分６４ｂを隣接する屋根板６２の上ハゼ部分６４ａに被せて、両方のハゼ部分６４ａ、６４ｂを締め付けることによって行われ、かかる連結により、略直線状の横断面を有する雪止め装置を取付けるための雪止め装置取付け部６４が形成される。
【００３４】
なお、図６（ａ）において破線で示されるように、既設屋根板のハゼ摘まみ込み部への挿入部分を形成するため、各屋根板６２の上ハゼ部分６４ａ及び下ハゼ部分６４ｂの一方の端部（図では左側の端部）が切除されている（切除された部分が、図６（ｂ）及び（ｃ）において参照符号６２ａで示されている）。また、最も前方に位置する屋根板６２には、上ハゼ部分６４ａが設けられておらず、最も後方に位置する屋根板６２には、下ハゼ部分６４ｂが設けられていない。
【００３５】
谷部屋根板６０の既設屋根板への取付けは、谷部屋根板５０と同様に、谷部屋根板６０の底面に接着剤を塗布し、既設屋根板の対応個所にも接着剤を塗布した後、部分６２ａを既設屋根板のハゼ摘まみ込み部に挿入して、既設屋根板に貼り付けることによって行われる。
【００３６】
図７は、本発明の第５の実施の形態に係る谷部屋根板を示した図である。図７（ｂ）において全体として参照符号７０で示される第５の実施の形態に係る谷部屋根板は、谷部屋根板５０、６０と同様に、縦葺き屋根の谷部屋根板に係わるものである。谷部屋根板７０は、折り立てられた後に折り返されて二枚重ねとなった部分７４ａが前方端部に形成され、折り立てられた後に折り返されて二枚重ねとなった部分７４ｂが後方端部に形成された複数の屋根板７２を連結することによって構成されている。
【００３７】
各屋根板７２の連結は、屋根板７２の部分７４ａを隣接する屋根板７２の部分７４ｂに被せ、ハゼ機（図示せず）などを使用して両方の部分７４ａ、７４ｂを逆Ｌ字形の横断面となるようにかしめることによって行われ、かかる連結により、逆Ｌ字形の横断面を有する雪止め装置を取付けるための雪止め装置取付け部７４が形成される。
【００３８】
なお、図７（ａ）において破線で示されるように、既設屋根板のハゼ摘まみ込み部への挿入部分を形成するため、屋根板６２と同様に、各屋根板７２の部分７４ａ及び部分７４ｂの一方の端部（図では左側の端部）が切除されている（切除された部分が、図７（ｂ）及び（ｃ）において参照符号７２ａで示されている）。また、最も前方に位置する屋根板７２には、部分７４ａが設けられておらず、最も後方に位置する屋根板７２には、部分７４ｂが設けられていない。
【００３９】
谷部屋根板７０の既設屋根板への取付けは、谷部屋根板５０、６０と同様に、谷部屋根板７０の底面に接着剤を塗布し、既設屋根板の対応個所にも接着剤を塗布した後、部分７２ａを既設屋根板のハゼ摘まみ込み部に挿入して、既設屋根板に貼り付けることによって行われる。
【００４０】
図８は、特許文献１において本発明者が提案した雪止め装置８０を示した斜視図である。また、図９に示されるような雪止め装置８２を使用してもよい。雪止め装置８２は、プレート８２ａ間で谷部用屋根板の雪止め装置取付け部を挟み、ボルト８４ｂを締めることによって固定される。なお、雪止め装置８０、８２は、略直線状の雪止め装置取付け部を有する谷部屋根板１０、２０、３０、４０、６０に取付けられ、雪止め装置８４は、逆Ｌ字形の横断面を有する雪止め装置取付け部を有する谷部屋根板７０に取付けられる。また、谷部屋根板５０では、谷部屋根板５０自体に雪止め装置５６が取付けられている。
【００４１】
なお、雪止め装置を雪止め装置取付け部に取り付ける際、雪止め装置取付け部のトタン板を傷つけないように、図９に示されるように、ブチルテープ等で雪止め装置取付け部を被覆した後、雪止め装置を雪止め装置取付け部に取り付けるのがよい。また、雪止め装置と既設屋根板との接触個所にゴム片等を配置し、トタン板が傷つかないように配慮するのが望ましい。
【００４２】
本発明は、以上の発明の実施の形態に限定されることなく、特許請求の範囲に記載された発明の範囲内で、種々の変更が可能であり、それらも本発明の範囲内に包含されるものであることはいうまでもない。
【００４３】
たとえば、前記実施の形態では、３種類の雪止め装置７０、７２，７４が紹介されているが、他の型式の雪止め装置を使用してもよい。また、前記実施の形態では、谷部屋根板の取り付けに接着剤が使用されているが、接着剤以外の接着手段（例えば、ブチル系又はシリコン系のシーリング剤、両面粘着シート等）を使用してもよい。
【００４４】
また、前記第１の実施の形態では、雪止め装置取付け部１４に対して両方向に屋根板１０が延びているが、図１０（ａ）に示されるように、雪止め装置取付け部１４′の同一方向にのみ屋根板１０′を延ばしてもよい（その結果、屋根板１０′は、部分的に二重になる）。
【００４５】
さらに、前記第２の実施の形態でも、雪止め装置取付け部２４に対して両方向に屋根板２０が延びているが、図１０（ｂ）に示されるように、同一方向の縁部に上ハゼ部分２４′ａ、下ハゼ部分２４′ｂをそれぞれ設けた屋根板２０′ａ、屋根板２０′ｂを準備し、屋根板２０′ｂの下ハゼ部分２４′ｂを屋根板２０′ａの上ハゼ部分２４′ａに被せて、両方のハゼ部分２４′ａ、２４′ｂを締め付けることによって、略直線状の横断面を有する雪止め装置を取付けるための雪止め装置取付け部２４′を形成してもよい（図１０（ｃ）参照）。
【図面の簡単な説明】
【００４６】
【図１】本発明の第１の実施の形態に係る谷部屋根板を示した図であって、（ａ）は斜視図、（ｂ）は正面図、（ｃ）は取付け状態を示した拡大図である。
【図２】図１の谷部屋根板の変形形態を示した図であって、（ａ）は連結前の状態を示した斜視図、（ｂ）は斜視図、（ｃ）は正面図である。
【図３】本発明の第２の実施の形態に係る谷部屋根板を示した図であって、（ａ）は斜視図、（ｂ）は正面図である。
【図４】図３の谷部屋根板の変形形態を示した図であって、（ａ）は連結前の状態を示した斜視図、（ｂ）は斜視図、（ｃ）は正面図である。
【図５】本発明の第３の実施の形態に係る谷部屋根板を示した図であって、（ａ）は斜視図、（ｂ）は取付け状態を示した斜視図、（ｃ）は（ｂ）の線５ｃ−５ｃに沿った図である。
【図６】本発明の第４の実施の形態に係る谷部屋根板を示した図であって、（ａ）は連結前の状態を示した斜視図、（ｂ）は連結した状態を示した斜視図、（ｃ）は取付け状態を示した斜視図である。
【図７】本発明の第５の実施の形態に係る谷部屋根板を示した図であって、（ａ）は連結前の状態を示した斜視図、（ｂ）は連結した状態を示した斜視図、（ｃ）は取付け状態を示した斜視図である。
【図８】雪止め装置の一例を示した斜視図である。
【図９】雪止め装置の別の例を示した斜視図である。
【図１０】谷部屋根板の変形形態を示した斜視図である。
【符号の説明】
【００４７】
１０、２０、３０、４０、５０、６０、７０  谷部屋根板
１４、１４′、２４、２４′、３４、４４、６４、７４  雪止め装置取付け部
５６  雪止め装置
【図１】
2004218419.tif 000003
【図２】
2004218419.tif 000004
【図３】
2004218419.tif 000005
【図４】
2004218419.tif 000006
【図５】
2004218419.tif 000007
【図６】
2004218419.tif 000008
【図７】
2004218419.tif 000009
【図８】
2004218419.tif 000010
【図９】
2004218419.tif 000011
【図１０】
2004218419.tif 000012